(57)【要約】【課題】表示装置間での障害情報の通知を不要とし、容易に障害状態から復旧することのできる表示システムを提供すること。【解決手段】第２表示装置１７０Ａ及び第２表示装置１７０Ｂは、サーバ１１０からの回線に障害が発生していない場合には、第２ポートを、データを送受信することのできない遮断状態にして、第１ポートからデータを取得し、サーバ１１０からの回線に障害が発生した場合には、第２ポートを、データを送受信することのできる伝送状態にして、第１ポート及び第２ポートの少なくとも何れか一方からデータを取得して、取得されたデータに基づいて、表示を行う。【選択図】図３
2016035480.tif 000002
【特許請求の範囲】
【請求項１】
データを送る第１経路に接続された第１切替用表示装置及びデータを送る第２経路に接続された第２切替用表示装置を少なくとも備える表示システムであって、
前記第１切替用表示装置は、
前記第１経路に接続されている第１ポートと、
前記第２切替用表示装置に接続されている第２ポートと、
前記第１切替用表示装置の第１ポート及び第２ポートの少なくとも何れか一方からデータを取得するとともに、前記第１切替用表示装置の第２ポートの状態を、データを送受信することのできる伝送状態及びデータを送受信することのできない遮断状態の何れかに切り替える通信部と、
前記第１切替用表示装置の通信部で取得されたデータに基づいて表示を行う表示部と、を備え、
前記第１切替用表示装置の通信部は、
前記第１経路及び前記第２経路に障害が発生していない場合には、前記第１切替用表示装置の第２ポートを前記遮断状態にして、前記第１切替用表示装置の第１ポートからデータを取得し、
前記第１経路又は前記第２経路に障害が発生している場合には、前記第１切替用表示装置の第２ポートを前記伝送状態にして、前記第１切替用表示装置の第１ポート及び第２ポートの少なくとも何れか一方からデータを取得するとともに、取得されたデータを他方に送信させ、
前記第２切替用表示装置は、
前記第２経路に接続されている第１ポートと、
前記第１切替用表示装置に接続されている第２ポートと、
前記第２切替用表示装置の第１ポート及び第２ポートの少なくとも何れか一方からデータを取得するとともに、前記第２切替用表示装置の第２ポートの状態を、前記伝送状態及び前記遮断状態の何れかに切り替える通信部と、
前記第２切替用表示装置の通信部で取得されたデータに基づいて表示を行う表示部と、を備え、
前記第２切替用表示装置の通信部は、
前記第１経路及び前記第２経路に障害が発生していない場合には、前記第２切替用表示装置の第２ポートを前記遮断状態にして、前記第２切替用表示装置の第１ポートからデータを取得し、
前記第１経路又は前記第２経路に障害が発生している場合には、前記第２切替用表示装置の第２ポートを前記伝送状態にして、前記第２切替用表示装置の第１ポート及び第２ポートの少なくとも何れか一方からデータを取得するとともに、取得されたデータを他方に送信させること
を特徴とする表示システム。
【請求項２】
サーバ及びハブをさらに備え、
前記サーバは、
データを蓄積する蓄積部と、
前記ハブに接続されたポートと、
前記蓄積部に蓄積されたデータを前記サーバのポートに送信させる通信部と、を備え、
前記ハブは、
前記第１経路に接続された第１ポートと、
前記第２経路に接続された第２ポートと、
前記サーバに接続された第３ポートと、
前記ハブの第１ポート、第２ポート及び第３ポートのそれぞれで受信されたデータの転送を行う転送部と、を備えること
を特徴とする請求項１に記載の表示システム。
【請求項３】
前記第１切替用表示装置は、
前記第１経路及び前記第２経路の少なくとも何れか一方で障害が発生しているか否かを検出する障害検出部をさらに備え、
前記第１切替用表示装置の通信部は、障害が発生していることを前記第１切替用表示装置の障害検出部が検出した場合に、前記第１切替用表示装置の第２ポートを前記伝送状態に切り替え、
前記第２切替用表示装置は、
前記第１経路及び前記第２経路の少なくとも何れか一方で障害が発生しているか否かを検出する障害検出部をさらに備え、
前記第２切替用表示装置の通信部は、障害が発生していることを前記第２切替用表示装置の障害検出部が検出した場合に、前記第２切替用表示装置の第２ポートを前記伝送状態に切り替えること
を特徴とする請求項２に記載の表示システム。
【請求項４】
前記第１切替用表示装置の通信部は、通信アドレスの割り当てを要求する割り当て要求を前記サーバに送り、
前記第２切替用表示装置の通信部は、通信アドレスの割り当てを要求する割り当て要求を前記サーバに送り、
前記サーバの通信部は、前記第１切替用表示装置及び前記第２切替用表示装置からの割り当て要求に応じて、前記第１切替用表示装置及び前記第２切替用表示装置のそれぞれに通信アドレスを割り当てて、当該割り当てられた通信アドレスを前記第１切替用表示装置及び前記第２切替用表示装置のそれぞれに送り、
前記第１切替用表示装置の障害検出部は、前記第１切替用表示装置の通信部が、自装置に割り当てられた通信アドレスを、前記割り当て要求を送ってから予め定められた時間受け取らなかった場合に、障害が発生していることを検出し、
前記第２切替用表示装置の障害検出部は、前記第２切替用表示装置の通信部が、自装置に割り当てられた通信アドレスを、前記割り当て要求を送ってから予め定められた時間受け取らなかった場合に、障害が発生していることを検出すること
を特徴とする請求項３に記載の表示システム。
【請求項５】
前記第１切替用表示装置の通信部は、応答を要求する応答要求を前記第２切替用表示装置に送るとともに、前記第２切替用表示装置からの応答要求を受け取った場合には、その応答を前記第２切替用表示装置に送り、
前記第２切替用表示装置の通信部は、応答を要求する応答要求を前記第１切替用表示装置に送るとともに、前記第１切替用表示装置からの応答要求を受け取った場合には、その応答を前記第１切替用表示装置に送り、
前記第１切替用表示装置の障害検出部は、前記第１切替用表示装置の通信部が、前記第２切替用表示装置に対して応答要求を送ってから、前記第２切替用表示装置からの応答を予め定められた時間受け取らなかった場合に、障害が発生していることを検出し、
前記第２切替用表示装置の障害検出部は、前記第２切替用表示装置の通信部が、前記第１切替用表示装置に対して応答要求を送ってから、前記第１切替用表示装置からの応答を予め定められた時間受け取らなかった場合に、障害が発生していることを検出すること
を特徴とする請求項３又は４に記載の表示システム。
【請求項６】
前記サーバは、前記第１切替用表示装置に通信アドレスを割り当てることができなかった場合に、前記第１経路において障害が発生していることを検出し、前記第２切替用表示装置に通信アドレスを割り当てることができなかった場合に、前記第２経路において障害が発生していることを検出する障害検出部をさらに備え、
前記サーバの通信部は、前記サーバの障害検出部が前記第１経路において障害が発生していることを検出した場合には、前記第２切替用表示装置に伝送状態への切り替え指示を送り、前記サーバの障害検出部が前記第２経路において障害が発生していることを検出した場合には、前記第１切替用表示装置に伝送状態への切り替え指示を送り、
前記第１切替用表示装置の通信部は、前記サーバからの切り替え指示を受け取った場合に、前記第１切替用表示装置の第２ポートを前記伝送状態に切り替え、
前記第２切替用表示装置の通信部は、前記サーバからの切り替え指示を受け取った場合に、前記第２切替用表示装置の第２ポートを前記伝送状態に切り替えること
を特徴とする請求項３から５の何れか一項に記載の表示システム。
【請求項７】
前記第１切替用表示装置は、
前記第２切替用表示装置と接続された第３ポートと、
前記第１切替用表示装置の通信部が前記サーバからの切り替え指示を受け取った場合に、前記第１切替用表示装置の第３ポートを介して、前記伝送状態への切り替え指示を前記第２切替用表示装置に送るサブ通信部と、をさらに備え、
前記第２切替用表示装置は、
前記第１切替用表示装置と接続された第３ポートと、
前記第２切替用表示装置の通信部が前記サーバからの切り替え指示を受け取った場合に、前記第１切替用表示装置の第３ポートを介して、前記伝送状態への切り替え指示を前記第１切替用表示装置に送るサブ通信部と、をさらに備え、
前記第１切替用表示装置の通信部は、前記第１切替用表示装置のサブ通信部が、前記第２切替用表示装置からの切り替え指示を受け取った場合に、前記第１切替用表示装置の第２ポートを前記伝送状態に切り替え、
前記第２切替用表示装置の通信部は、前記第２切替用表示装置のサブ通信部が、前記第１切替用表示装置からの切り替え指示を受け取った場合に、前記第２切替用表示装置の第２ポートを前記伝送状態に切り替えること
を特徴とする請求項６に記載の表示システム。
【請求項８】
前記第１切替用表示装置の通信部は、前記第１切替用表示装置の第２ポートが前記伝送状態となっている場合に、障害が発生していないことを前記第１切替用表示装置の障害検出部が検出したときには、前記第１切替用表示装置の第２ポートを前記遮断状態に切り替え、
前記第２切替用表示装置の通信部は、前記第２切替用表示装置の第２ポートが前記伝送状態となっている場合に、障害が発生していないことを前記第２切替用表示装置の障害検出部が検出したときには、前記第２切替用表示装置の第２ポートを前記遮断状態に切り替えること
を特徴とする請求項３から７の何れか一項に記載の表示システム。
【請求項９】
前記第１切替用表示装置の通信部は、前記第１切替用表示装置の第２ポートが前記伝送状態となっている場合に、予め定められた周期で、前記第１切替用表示装置の第２ポートを前記遮断状態に切り替えて、前記第１切替用表示装置の障害検出部に障害が発生しているか否かを検出させ、障害が発生していないことが検出されたときには、前記遮断状態を維持し、障害が発生していることが検出されたときには、前記第１切替用表示装置の第２ポートを前記伝送状態に切り替え、
前記第２切替用表示装置の通信部は、前記第２切替用表示装置の第２ポートが前記伝送状態となっている場合に、予め定められた周期で、前記第２切替用表示装置の第２ポートを前記遮断状態に切り替えて、前記第２切替用表示装置の障害検出部に障害が発生しているか否かを検出させ、障害が発生していないことが検出されたときには、前記遮断状態を維持し、障害が発生していることが検出されたときには、前記第２切替用表示装置の第２ポートを前記伝送状態に切り替えること
を特徴とする請求項３から７の何れか一項に記載の表示システム。
【請求項１０】
前記第１経路に接続された、少なくとも１つの第１中継用表示装置をさらに備え、
前記第１中継用表示装置は、
前記第１経路に接続されている第１ポート及び第２ポートと、
前記第１中継用表示装置の第１ポート及び第２ポートの少なくとも何れか一方からデータを取得するとともに、取得されたデータを他方に送信させる通信部と、
前記第１中継用表示装置の通信部で取得されたデータに基づいて表示を行う表示部と、を備えること
を特徴とする請求項１から９の何れか一項に記載の表示システム。
【請求項１１】
前記第２経路に接続された、少なくとも１つの第２中継用表示装置をさらに備え、
前記第２中継用表示装置は、
前記第２経路に接続されている第１ポート及び第２ポートと、
前記第２中継用表示装置の第１ポート及び第２ポートの少なくとも何れか一方からデータを取得するとともに、取得されたデータを他方に送信させる通信部と、
前記第２中継用表示装置の通信部で取得されたデータに基づいて表示を行う表示部と、を備えること
を特徴とする請求項１から１０の何れか一項に記載の表示システム。
【請求項１２】
前記第１経路及び前記第２経路に接続された、少なくとも１つの中継用表示装置をさらに備え、
前記中継用表示装置は、
前記第１経路に接続されている第１ポートと、
前記第２経路に接続されている第２ポートと、
データを蓄積する蓄積部と、
前記蓄積部に蓄積されたデータを前記中継用表示装置の第１ポート及び前記中継用表示装置の第２ポートに送信させるとともに、前記中継用表示装置の第１ポート及び第２ポートの少なくとも何れか一方から取得されたデータを他方に送信させる通信部と、
前記蓄積部に蓄積されたデータに基づいて表示を行う表示部と、を備えること
を特徴とする請求項１に記載の表示システム。
【請求項１３】
データを送る経路に接続された第１切替用表示装置及び第２切替用表示装置を少なくとも備える表示システムであって、
前記第１切替用表示装置は、
前記経路に接続されている第１ポートと、
前記第２切替用表示装置に接続されている第２ポートと、
データを蓄積する蓄積部と、
前記第１切替用表示装置の第１ポート及び第２ポートの少なくとも何れか一方からデータを送信するとともに、前記第１切替用表示装置の第２ポートの状態を、データを送受信することのできる伝送状態及びデータを送受信することのできない遮断状態の何れかに切り替える通信部と、
前記蓄積部に蓄積されているデータに基づいて表示を行う表示部と、を備え、
前記第１切替用表示装置の通信部は、
前記経路に障害が発生していない場合には、前記第１切替用表示装置の第２ポートを前記遮断状態にして、前記第１切替用表示装置の第１ポートに、前記蓄積部に蓄積されているデータを送信させ、
前記経路に障害が発生している場合には、前記第１切替用表示装置の第２ポートを前記伝送状態にして、前記第１切替用表示装置の第１ポート及び第２ポートに、前記蓄積部に蓄積されているデータを送信させ、
前記第２切替用表示装置は、
前記経路に接続されている第１ポートと、
前記第１切替用表示装置に接続されている第２ポートと、
前記第２切替用表示装置の第１ポート及び第２ポートの少なくとも何れか一方からデータを取得するとともに、前記第２切替用表示装置の第２ポートの状態を、前記伝送状態及び前記遮断状態の何れかに切り替える通信部と、
前記第２切替用表示装置の通信部で取得されたデータに基づいて表示を行う表示部と、を備え、
前記第２切替用表示装置の通信部は、
前記経路に障害が発生していない場合には、前記第２切替用表示装置の第２ポートを前記遮断状態にして、前記第２切替用表示装置の第１ポートからデータを取得し、
前記経路に障害が発生している場合には、前記第２切替用表示装置の第２ポートを前記伝送状態にして、前記第２切替用表示装置の第２ポートからデータを取得するとともに、取得されたデータを前記第２切替用表示装置の第１ポートに送信させること
を特徴とする表示システム。
【発明の詳細な説明】
【技術分野】
【０００１】
本発明は、表示システムに関する。
【背景技術】
【０００２】
列車・バス等の公共交通機関の車両には、車両の行く先・運行情報・乗り換え案内・広告等を表示する表示装置が設置されている。このような表示装置では、サーバから表示する映像又は情報のデータを送信し、表示装置が受信して表示する。サーバと表示装置との間は、ＩＰネットワーク又は同軸ケーブル等により接続される。サーバと表示装置をＩＰネットワークで接続する場合、図１に示すような表示システム１が用いられる。
【０００３】
図１は、従来の表示システムの第１の例を概略的に示す構成図である。図１に示されている表示システム１では、サーバ２にハブ３が接続されている。ハブ３には、第１ポート３ａ及び第２ポート３ｂが備えられている。第１ポート３ａには、表示装置４Ａ〜４Ｄが直列に接続されており、第２ポート３ｂには、表示装置４Ｅ〜４Ｈが直列に接続されている。
なお、サーバ２と表示装置４Ａ〜４Ｈの各々を、スター型に１対１で接続する表示システムもあるが、このような場合、サーバ２と表示装置４Ａ〜４Ｈの各々とを接続するための通信ケーブルの総延長が長くなる。このため、通信ケーブル自体のコスト及び通信ケーブルの設置コストが高くなり、コストが重視される場合には、そのような表示システムは用いられない。
図１に示されている表示システム１の場合、例えば表示装置４Ｆが故障すると、表示装置４Ｇと表示装置４Ｈは、サーバ２と通信できなくなる。このため、表示装置４Ｆ〜４Ｈは、使用不可の状態となる。
【０００４】
これに対し、ネットワークをリング状に構成し、表示装置の何れかが故障した場合、又は、通信ケーブルの何れかの箇所に障害が発生した場合に、経路を切り替えて表示を行う表示システムがある。
図２は、従来の表示システムの第２の例を概略的に示す構成図である。図２に示されている表示システム５は、直列に接続された表示装置８Ａ〜８Ｈの端に位置する表示装置８Ｄ、８Ｈ同士を通信ケーブルで接続して、リング状のネットワークを構成する。これにより、サーバ６から表示装置８Ａ〜８Ｈの各々への通信経路が２重化されるため、表示装置８Ａ〜８Ｈ及び通信ケーブルの何れか１か所に故障が発生した場合でも、故障個所を経由しない反対側の経路によりサーバ６と表示装置８Ａ〜８Ｈの間の通信が可能となる。しかし、表示装置８Ａ〜８Ｈをリング状に接続した場合、ブロードキャストパケットがリング状のネットワークを回り続け、次第に増加していき、ネットワークをブロードキャストパケットが占有する状態に至って、ネットワーク通信が不可能となるブロードキャストストームが発生する。
【０００５】
このような状態になるのを回避するために、例えば、特許文献１には、２つの通信ポートを持つ複数の通信装置をリング状に接続することでネットワークを構成し、特定の通信装置の２つの通信ポートのうち、片方のポートのみ、ブロッキング（遮断）状態としておく技術が記載されている。何れかの通信装置が回線障害を検出した場合、遮断ポートを持つ通信装置へ回線障害を通知し、遮断ポートを持つ通信装置は、遮断状態を解除することにより、経路変更を行う。
【先行技術文献】
【特許文献】
【０００６】
【特許文献１】特許第３６３５２６８号公報（段落００７５〜００９０、図２０）
【発明の概要】
【発明が解決しようとする課題】
【０００７】
特許文献１に記載された技術では、各通信装置でのネットワーク障害の検出が必要であり、また、通信装置間での障害情報の通知が必要となる。
【０００８】
そこで、本発明は、表示装置間での障害情報の通知を不要とし、容易に障害状態から復旧することのできる表示システムを提供することを目的とする。
【課題を解決するための手段】
【０００９】
本発明の一態様に係る表示システムは、
データを送る第１経路に接続された第１切替用表示装置及びデータを送る第２経路に接続された第２切替用表示装置を少なくとも備える表示システムであって、
前記第１切替用表示装置は、前記第１経路に接続されている第１ポートと、
前記第２切替用表示装置に接続されている第２ポートと、
前記第１切替用表示装置の第１ポート及び第２ポートの少なくとも何れか一方からデータを取得するとともに、前記第１切替用表示装置の第２ポートの状態を、データを送受信することのできる伝送状態及びデータを送受信することのできない遮断状態の何れかに切り替える通信部と、
前記第１切替用表示装置の通信部で取得されたデータに基づいて表示を行う表示部と、を備え、
前記第１切替用表示装置の通信部は、
前記第１経路及び前記第２経路に障害が発生していない場合には、前記第１切替用表示装置の第２ポートを前記遮断状態にして、前記第１切替用表示装置の第１ポートからデータを取得し、
前記第１経路又は前記第２経路に障害が発生している場合には、前記第１切替用表示装置の第２ポートを前記伝送状態にして、前記第１切替用表示装置の第１ポート及び第２ポートの少なくとも何れか一方からデータを取得するとともに、取得されたデータを他方に送信させ、
前記第２切替用表示装置は、
前記第２経路に接続されている第１ポートと、
前記第１切替用表示装置に接続されている第２ポートと、
前記第２切替用表示装置の第１ポート及び第２ポートの少なくとも何れか一方からデータを取得するとともに、前記第２切替用表示装置の第２ポートの状態を、前記伝送状態及び前記遮断状態の何れかに切り替える通信部と、
前記第２切替用表示装置の通信部で取得されたデータに基づいて表示を行う表示部と、を備え、
前記第２切替用表示装置の通信部は、
前記第１経路及び前記第２経路に障害が発生していない場合には、前記第２切替用表示装置の第２ポートを前記遮断状態にして、前記第２切替用表示装置の第１ポートからデータを取得し、
前記第１経路又は前記第２経路に障害が発生している場合には、前記第２切替用表示装置の第２ポートを前記伝送状態にして、前記第２切替用表示装置の第１ポート及び第２ポートの少なくとも何れか一方からデータを取得するとともに、取得されたデータを他方に送信させることを特徴とする。
【００１０】
本発明の他の態様に係る表示システムは、
データを送る経路に接続された第１切替用表示装置及び第２切替用表示装置を少なくとも備える表示システムであって、
前記第１切替用表示装置は、
前記経路に接続されている第１ポートと、
前記第２切替用表示装置に接続されている第２ポートと、
データを蓄積する蓄積部と、
前記第１切替用表示装置の第１ポート及び第２ポートの少なくとも何れか一方からデータを送信するとともに、前記第１切替用表示装置の第２ポートの状態を、データを送受信することのできる伝送状態及びデータを送受信することのできない遮断状態の何れかに切り替える通信部と、
前記蓄積部に蓄積されているデータに基づいて表示を行う表示部と、を備え、
前記第１切替用表示装置の通信部は、
前記経路に障害が発生していない場合には、前記第１切替用表示装置の第２ポートを前記遮断状態にして、前記第１切替用表示装置の第１ポートに、前記蓄積部に蓄積されているデータを送信させ、
前記経路に障害が発生している場合には、前記第１切替用表示装置の第２ポートを前記伝送状態にして、前記第１切替用表示装置の第１ポート及び第２ポートに、前記蓄積部に蓄積されているデータを送信させ、
前記第２切替用表示装置は、
前記経路に接続されている第１ポートと、
前記第１切替用表示装置に接続されている第２ポートと、
前記第２切替用表示装置の第１ポート及び第２ポートの少なくとも何れか一方からデータを取得するとともに、前記第２切替用表示装置の第２ポートの状態を、前記伝送状態及び前記遮断状態の何れかに切り替える通信部と、
前記第２切替用表示装置の通信部で取得されたデータに基づいて表示を行う表示部と、を備え、
前記第２切替用表示装置の通信部は、
前記経路に障害が発生していない場合には、前記第２切替用表示装置の第２ポートを前記遮断状態にして、前記第２切替用表示装置の第１ポートからデータを取得し、
前記経路に障害が発生している場合には、前記第２切替用表示装置の第２ポートを前記伝送状態にして、前記第２切替用表示装置の第２ポートからデータを取得するとともに、取得されたデータを前記第２切替用表示装置の第１ポートに送信させることを特徴とする。
【発明の効果】
【００１１】
本発明の一態様によれば、表示装置間での障害情報の通知が不要であるため、より容易に障害状態から復旧することができる。
【図面の簡単な説明】
【００１２】
【図１】従来の表示システムの第１の例を概略的に示す構成図である。
【図２】従来の表示システムの第２の例を概略的に示す構成図である。
【図３】実施の形態１に係る表示システムの一例を概略的に示すブロック図である。
【図４】実施の形態１におけるサーバの構成の一例を概略的に示すブロック図である。
【図５】実施の形態１におけるサーバのハードウエア構成の一例を概略的に示すブロック図である。
【図６】実施の形態１における第１表示装置の構成の一例を概略的に示すブロック図である。
【図７】実施の形態１における第２表示装置の構成の一例を概略的に示すブロック図である。
【図８】実施の形態１における第１表示装置及び第２表示装置のハードウエア構成の一例を概略的に示すブロック図である。
【図９】（Ａ）〜（Ｃ）は、実施の形態１において表示される画面の例を示す概略図である。
【図１０】実施の形態１に係る表示システムにおいて、第１表示装置が故障した場合の動作を説明するための概略図である。
【図１１】実施の形態１に係る表示システムにおいて、第２表示装置が応答要求パケットを送信する動作を説明するための概略図である。
【図１２】実施の形態１に係る表示システムにおいて、第２表示装置が応答パケットを送信する動作を説明するための概略図である。
【図１３】実施の形態１の第１の変形例に係る表示システムの構成を概略的に示すブロック図である。
【図１４】実施の形態１の第１の変形例に係る第１表示装置の構成の一例を概略的に示すブロック図である。
【図１５】実施の形態１の第２の変形例に係る第２表示装置の構成の一例を概略的に示すブロック図である。
【図１６】実施の形態２に係る表示システムの構成の一例を概略的に示すブロック図である。
【図１７】実施の形態２における第２表示装置の構成の一例を概略的に示すブロック図である。
【図１８】実施の形態２における第２表示装置のハードウエア構成の一例を概略的に示すブロック図である。
【図１９】実施の形態２に係る表示システムにおいて、第１表示装置が故障した場合の動作を説明するための概略図である。
【発明を実施するための形態】
【００１３】
実施の形態１．
図３は、実施の形態１に係る表示システムの一例を概略的に示すブロック図である。図１に示されている表示システム１００は、例えば、列車及びバス等の公共交通機関において、運行情報、乗り換え案内、広告映像、及び、行き先等を表示するために使用される。
【００１４】
表示システム１００は、サーバ１１０と、ハブ１３０と、第１表示装置１５０Ａ〜１５０Ｆ（以下、各々を特に区別する必要がない場合には、第１表示装置１５０という）と、第２表示装置１７０Ａ、１７０Ｂ（以下、各々を特に区別する必要がない場合には、第２表示装置１７０という）とを備える。サーバ１１０とハブ１３０との間は通信ケーブル１０１で接続されている。ハブ１３０と第１の表示装置１５０Ａ、１５０Ｄとの間、第１表示装置１５０Ａ〜１５０Ｃの間、第１表示装置１５０Ｄ〜１５０Ｆの間、第１表示装置１５０Ｃと第２表示装置１７０Ａとの間、及び、第１表示装置１５０Ｆと第２表示装置１７０Ｂとの間は、通信ケーブル１０２Ａ〜１０２Ｈ（特に各々を区別する必要がない場合には、通信ケーブル１０２という）で接続されている。第２表示装置１７０Ａ、１７０Ｂの間は、通信ケーブル１０３で接続されている。従って、第１表示装置１５０及び第２表示装置１７０は、リング上に接続されている。但し、後述するように、ハブ１３０、第１表示装置１５０Ａ〜１５０Ｃ及び第２表示装置１７０Ａが接続されている第１経路、並びに、ハブ１３０、第１表示装置１５０Ｄ〜１５０Ｆ及び第２表示装置１７０Ｂが接続されている第２経路に障害が発生していない場合には、第２表示装置１７０Ａと第２表示装置１７０Ｂとの間は、遮断された状態である。第２表示装置１７０は、遮断状態と伝送状態とを切り替える切替表示装置として機能する。第１表示装置１５０は、第１経路又は第２経路に接続され、データの中継を行う中継用表示装置として機能する。なお、図１では、第１表示装置１５０及び第２表示装置１７０が計８台備えられているが、このような例に限定されるものではなく、第２表示装置１７０が隣接した状態で２台含まれていれば、第１表示装置１５０の数は任意である。
【００１５】
サーバ１１０は、運行情報、乗り換え案内の情報、及び、広告の映像等のデータを送信する。
ハブ１３０は、サーバ１１０から送信されたデータをリング状に接続された通信ケーブル１０２へ送信する。
第１表示装置１５０及び第２表示装置１７０は、通信ケーブル１０２、１０３を介して、データを受信し、表示を行う。
【００１６】
図４は、実施の形態１におけるサーバ１１０の構成の一例を概略的に示すブロック図である。サーバ１１０は、情報及び映像のデータを蓄積しておき、蓄積しているデータを通信ケーブル１０１経由で送信する。サーバ１１０は、列車及びバス等の車両が車庫にいる場合、又は、車両とのデータ通信が可能な通信装置を備えた駅又は停留所等に停車している場合に、図３には示されていないデータベースから情報及び映像のデータを取り込んで、蓄積しておく。また、サーバ１１０は、列車及びバス等の車両の位置情報、又は、現在走行中の路線情報等に基づいて、運行情報又は乗り換え案内といった情報のデータを送信する。さらに、サーバ１１０は、予め定められたタイミングで、予め定められた順番で、広告等の映像のデータを送信する。
【００１７】
サーバ１１０は、蓄積部１１１と、通信部１１２と、ポート１１３と、回線障害検出部１１４とを備える。
【００１８】
蓄積部１１１は、情報及び映像のデータを蓄積する。
また、蓄積部１１１は、第１表示装置１５０及び第２表示装置１７０の配置（接続順）を示す配置情報を記憶する。例えば、配置情報は、第１表示装置１５０Ａ〜１５０Ｃ及び第２表示装置１７０Ａにより構成される経路及び第１表示装置１５０Ｄ〜１５０Ｆ及び第２表示装置１７０Ｂにより構成される経路における接続順を、第１表示装置１５０及び第２表示装置１７０のＭＡＣアドレス等の識別情報を用いて特定しているものとする。
【００１９】
通信部１１２は、ポート１１３経由で、第１表示装置１５０及び第２表示装置１７０の各々に対して、通信アドレスとしてのＩＰアドレスの割り当てを行う。
そして、通信部１１２は、蓄積部１１１に蓄積された情報及び映像のデータを、ポート１１３に送信させる。
また、通信部１１２は、回線障害検出部１１４からの指示により、ポート１１３に応答要求の送信及び応答の受信を行わせる。
【００２０】
ポート１１３は、通信ケーブル１０１を介して、信号の送受信を行う通信インタフェースである。
回線障害検出部１１４は、第１経路及び第２経路を含む回線において障害が発生しているか否かを検出する障害検出部である。
【００２１】
サーバ１１０は、図５に示すような構成のハードウエアにより実現可能である。図５に示されているＣＰＵ１０は、各種の制御やデータ処理を行う。ＨＤＤ１１は、不揮発のメモリで、ＣＰＵ１０が動作するためのプログラムを格納する。ＤＲＡＭ１２は、ＣＰＵ１０の動作中にＣＰＵ１０の動作に必要なプログラム及びデータを記憶しておく。ＬＡＮ  ＭＡＣ１３は、ネットワーク通信のデータリンク層の処理を行う。ＬＡＮ  ＰＨＹ１４は、ネットワーク通信の物理層の処理を行う。ＬＡＮ  コネクタ１５は、通信ケーブル１０１を接続する。
例えば、蓄積部１１１は、ＣＰＵ１０がＨＤＤ１１を利用することにより実現可能である。通信部１１２は、ＣＰＵ１０がＬＡＮ  ＭＡＣ１３を利用することにより実現可能である。ポート１１３は、ＣＰＵ１０がＬＡＮ  ＰＨＹ１４及びＬＡＮ  コネクタ１５を利用することにより実現可能である。回線障害検出部１１４は、ＣＰＵ１０により実現可能である。
【００２２】
図３の説明に戻り、ハブ１３０は、第１ポート１３１と、第２ポート１３２と、第３ポート１３３とを備える。
さらに、図示してはいないが、ハブ１３０は、第１ポート１３１、第２ポート１３２及び第３ポート１３３のそれぞれで受信された信号に含まれているデータの転送を行う転送部を備える。例えば、ハブ１３０の転送部は、サーバ１１０から送信された信号を第３ポート１３３で受信して、受信された信号を第１ポート１３１及び第２ポート１３２から送信する。また、ハブ１３０は、第１ポート１３１で受信された信号を、第２ポート１３２及び第３ポートから送信する。さらに、第２ポート１３２で受信された信号を、第１ポート１３１及び第３ポート１３３から送信する。
【００２３】
図６は、実施の形態１における第１表示装置１５０の構成の一例を概略的に示すブロック図である。第１表示装置１５０は、第１ポート１５１と、第２ポート１５２と、通信部１５３と、表示部１５４とを備える。
【００２４】
第１ポート１５１及び第２ポート１５２は、通信ケーブル１０２を介して、信号を送受信する通信インタフェースである。
通信部１５３は、第１ポート１５１及び第２ポートを介して、サーバ１１０と通信を行うことで、ＩＰアドレスの割り当てを受ける。
また、通信部１５３は、第１ポート１５１又は第２ポート１５２で受信された信号に含まれているデータを取得する。例えば、通信部１５３は、第１ポート１５１又は第２ポート１５２で受信された信号に含まれているデータが自装置の宛先を含む場合には、その信号に含まれているデータを取得する。
さらに、通信部１５３は、第１ポート１５１又は第２ポート１５２で受信された信号に含まれているデータを、受信したポートとは異なるポートに送信させる。例えば、第１ポート１５１又は第２ポート１５２で受信された信号に含まれているデータが他装置の宛先を含む場合、具体的には、そのようなデータが、ブロードキャスト、マルチキャスト、及び、他装置宛のユニキャスト等で送信されている場合には、そのようなデータを、受信したポートとは異なるポートに送信させる。例えば、第１ポート１５１で信号が受信された場合には、通信部１５３は、第２ポート１５２に受信された信号を送信させる。
表示部１５４は、通信部１５３で取得されたデータに基づいて、情報又は映像の表示を行う。
【００２５】
図７は、実施の形態１における第２表示装置１７０の構成の一例を概略的に示すブロック図である。第２表示装置１７０は、第１ポート１７１と、第２ポート１７２と、通信部１７３と、表示部１７４と、回線障害検出部１７５とを備える。
【００２６】
第１ポート１７１は、通信ケーブル１０２を介して、信号を送受信する通信インタフェースである。
第２ポート１７２は、通信ケーブル１０３を介して、信号を送受信する通信インタフェースである。
また、第１ポート１７１及び第２ポート１７２は、それぞれ遮断状態と伝送状態の２つの状態を持つ。遮断状態では、そのポート経由の通信は遮断され、通信は行われない。また、伝送状態では、そのポート経由の通信が行われる。この遮断状態と伝送状態の切り替えは、例えば、ポートの電源をＯＦＦ及びＯＮすることにより実現される。あるいは、それは、ポートへ供給するクロックを供給停止及び供給開始することでも実現可能である。さらに、ポートがリセット入力を持つ場合、それは、リセット実行及びリセット解除により実現することも可能である。なお、第１ポート１７１及び第２ポート１７２の状態は、通信部１７３により制御される。
【００２７】
通信部１７３は、第１ポート１７１及び第２ポート１７２を介して、サーバ１１０と通信を行うことで、ＩＰアドレスの割り当てを受ける。
また、通信部１７３は、第１経路及び第２経路に障害が発生していない場合には、第２ポート１７２を遮断状態として、第１ポート１７１で受信された信号に含まれているデータを取得する。例えば、通信部１７３は、第１ポート１７１で受信された信号に含まれているデータが自装置の宛先を含む場合には、その信号に含まれているデータを取得する。
一方、通信部１７３は、第１経路又は第２経路に障害が発生している場合には、第２ポート１７２を伝送状態として、第１ポート１７１又は第２ポート１７２で受信された信号からデータを取得する。例えば、通信部１７３は、第１ポート１７１又は第２ポート１７２で受信された信号に含まれているデータが自装置の宛先を含む場合には、その信号に含まれているデータを取得する。この場合、通信部１７３は、第１ポート１７１又は第２ポート１７２で受信された信号に含まれているデータが他装置の宛先を含むときには、そのようなデータを、受信したポートとは異なるポートに送信させる。
【００２８】
表示部１７４は、通信部１７３で取得されたデータに基づいて、情報又は映像の表示を行う。
回線障害検出部１７５は、回線において障害が発生しているか否かを検出する障害検出部である。そして、回線障害検出部１７５は、障害が発生していない場合は、通信部１７３に第２ポート１７２を遮断状態にさせ、障害が発生している場合は、通信部１７３に第２ポート１５２を伝送状態にさせる。
【００２９】
第１表示装置１５０及び第２表示装置１７０は、図８に示すような構成のハードウエアにより実現可能である。図８に示されているＣＰＵ２０は、各種の制御やデータ処理を行う。ＲＯＭ２１は、不揮発のメモリで、ＣＰＵ２０が動作するためのプログラムを格納する。ＤＲＡＭ２２は、ＣＰＵ２０の動作中にＣＰＵ２０の動作に必要なプログラム及びデータを記憶しておく。ＦＰＧＡ２３は、ＬＣＤパネル２５に表示するための信号処理を行う。ＤＲＡＭ２４は、ＦＰＧＡ２３の信号処理中に必要なデータを記憶しておく。ＬＣＤパネル２５は、映像や静止画を表示する。ＬＡＮ  ＭＡＣ２６は、ネットワーク通信のデータリンク層の処理を行う。ＬＡＮ  ＰＨＹ２７、２８は、ネットワーク通信の物理層の処理を行う。ＬＡＮ  コネクタ２９、３０は、通信ケーブル１０２、１０３を接続する。
例えば、第１ポート１５１、１７１は、ＣＰＵ２０がＬＡＮ  ＰＨＹ２７及びＬＡＮ  コネクタ２９を利用することにより実現可能である。第２ポート１５２、１７２は、ＣＰＵ２０がＬＡＮ  ＰＨＹ２８及びＬＡＮ  コネクタ３０を利用することにより実現可能である。通信部１５３、１７３は、ＣＰＵ２０がＬＡＮ  ＭＡＣ２６を利用することにより実現可能である。表示部１５４、１７４は、ＣＰＵ２０がＦＰＧＡ２３及びＬＣＤパネル２５を利用することにより実現可能である。回線障害検出部１７５は、ＣＰＵ２０により実現可能である。
【００３０】
次に、表示システム１００を起動する際の表示システム１００の動作を説明する。
まず、起動時に回線に障害が発生していない場合の動作を説明する。
【００３１】
電源供給開始や起動スイッチのＯＮにより、表示システム１００が起動する際、第１表示装置１５０では、通信部１５３が、第１ポート１５１及び第２ポート１５２を伝送状態とする。また、第２表示装置１７０では、通信部１７３が、第１ポート１７１を伝送状態とし、第２ポート１７２を遮断状態とする。これにより、障害が発生していなければサーバ１１０と、第１表示装置１５０及び第２表示装置１７０とが通信可能な状態となる。このとき、サーバ１１０、ハブ１３０、第１表示装置１５０Ａ〜１５０Ｃ及び第２表示装置１７０Ａにより構成される経路と、サーバ１１０、ハブ１３０、第１表示装置１５０Ｄ〜１５０Ｆ及び第２表示装置１７０Ｂにより構成される経路とにより通信が行われる。
【００３２】
表示システム１００が起動する際に、サーバ１１０は、例えばＤＨＣＰ等のプロトコルにより、第１表示装置１５０及び第２表示装置１７０にＩＰアドレスの割り当てを行う。障害が発生していない場合、第１表示装置１５０及び第２表示装置１７０に正常にＩＰアドレスを割り当てることができる。第１表示装置１５０及び第２表示装置１７０は、割り当てられたＩＰアドレスを使用して、サーバ１１０と通信を行う。
【００３３】
サーバ１１０の通信部１１２は、第１表示装置１５０及び第２表示装置１７０の全てにＩＰアドレスが割り当てられたことを確認すると、サーバ１１０内の蓄積部１１１に蓄えられた情報又は映像のデータを第１表示装置１５０及び第２表示装置１７０に向けて送信を開始する。なお、通信部１１２は、蓄積部１１１に記憶されている配置情報を参照して、第１表示装置１５０及び第２表示装置１７０の全てにＩＰアドレスが割り当てられたか否かを判断すればよい。
【００３４】
第１表示装置１５０及び第２表示装置１７０は、サーバ１１０から送信されたデータを通信部１５３、１７３で取得し、表示部１５４、１７４に表示させる。
図９（Ａ）〜（Ｃ）は、表示部１５４、１７４に表示される画面の例を示す概略図である。図９（Ａ）は、列車が今どこを走っているかを示す運行情報を表示する画面の例である。図９（Ｂ）は、駅での他路線への乗り換え経路を示す乗り換え案内を表示する画面の例である。図９（Ｃ）は、駅から近辺の公共施設や商業施設までの経路を示す案内を表示する画面の例である。表示部１５４、１７４には、広告、イベント情報、クイズ等の映像及び静止画も表示される。
【００３５】
次に、起動時に回線において障害が発生していた場合の動作を説明する。
【００３６】
ここでは、図１０に示すように第１表示装置１５０Ｅが故障していた場合を例に説明する。このような場合には、表示システム１００の起動時に、第１表示装置１５０Ａ〜１５０Ｄ及び第２表示装置１７０Ａには、ＩＰアドレスが割り当てられる。一方、第１表示装置１５０Ｅの故障により、通信が遮断され、サーバ１１０との通信ができず、第１表示装置１５０Ｅ、１５０Ｆ及び第２表示装置１７０Ｂには、ＩＰアドレスが割り当てられない。
【００３７】
サーバ１１０の通信部１１２は、第１表示装置１５０及び第２表示装置１７０の何れか、あるいは複数にＩＰアドレスの割り当てができなかった場合、蓄積部１１１に記憶されている配置情報を参照して、回線障害検出部１１４に、どの表示装置に対してＩＰアドレスの割り当ができなかったかというＩＰアドレス割り当て不可情報を通知する。例えば、ＩＰアドレス割り当て付加情報には、ＩＰアドレスを割り当てることができなかった表示装置の識別情報が含まれる。
【００３８】
サーバ１１０の回線障害検出部１１４は、ＩＰアドレス割り当て不可情報に基づいて、蓄積部１１１に記憶されている配置情報を参照することで、回線障害発生場所を判定する。図１０の例では、第１表示装置１５０Ｅ、１５０Ｆ及び第２表示装置１７０Ｂの識別情報がＩＰアドレス割り当て不可情報により通知される。回線障害検出部１１４は、ＩＰアドレスが割り当てられなかった表示装置のうち、サーバ１１０に一番近い表示装置で故障が発生したと判定する。図１０の例では、サーバ１１０に一番近い第１表示装置１５０Ｅで故障が発生したと判定する。これにより、回線障害発生箇所の特定のために、回線障害検出部１１４から第１表示装置１５０及び第２表示装置１７０の各々へ応答要求を送る等して通信可能状況を判定するといった処理を省略することができる。このため、回線障害発生検出の処理時間を短縮することができる。
【００３９】
サーバ１１０の回線障害検出部１１４は、蓄積部１１１に記憶されている配置情報を参照することで、障害が発生していない経路に含まれている第２表示装置１７０に第２ポート１７２を伝送状態へ切り替えるように指示する。図１０の例では、回線障害検出部１１４は、第１表示装置１５０Ａ〜１５０Ｃ経由で、第２表示装置１７０Ａに指示する。第２表示装置１７０Ａの通信部１７３は、この指示を受け取り、その第２ポート１７２を遮断状態から伝送状態へ切り替える。
【００４０】
第２表示装置１７０の回線障害検出部１７５は、起動開始から予め定められた時間が経過した後で、自装置へのＩＰアドレスの割り当てを確認し、ＩＰアドレスが割り当てられていない場合、回線障害が発生していると判断し、第２ポート１７２を遮断状態から伝送状態へ切り替える。図１０の例の場合、第２表示装置１７０ＢにはＩＰアドレスが割り当てられないため、第２表示装置１７０Ｂの通信部１７３は、その第２ポート１７２を遮断状態から伝送状態に切り替える。このように、第２表示装置１７０は、起動開始からの予め定められた時間の計測と、ＩＰアドレスの割り当て有無とにより、障害が発生しているか否かを検出するため、回線障害検出の処理を簡略化できる。
【００４１】
これまでの動作により、第２表示装置１７０Ａの第２ポート１７２と、第２表示装置１７０Ｂの第２ポート１７２とが、遮断状態から伝送状態に切り替わっているため、これらの間で通信ケーブル１０３による通信が可能な状態となる。これにより、ハブ１３０、第１表示装置１５０Ａ〜１５０Ｃ及び第２表示装置１７０Ａ経由で、サーバ１１０と、第１表示装置１５０Ｆ及び第２表示装置１７０Ｂとの間の通信が可能な状態になる。
【００４２】
サーバ１１０は、ＤＨＣＰ等のプロトコルにより、第１表示装置１５０Ｆと第２表示装置１７０ＢにＩＰアドレスの割り当てを行う。例えば、第２表示装置１７０Ｂの通信部１７３は、第２ポート１７２を伝送状態に切り替えた後に、第２ポート１７２に指示して、ＩＰアドレスの割り当て要求を送信させる。また、第１表示装置１５０Ｆは、ＩＰアドレスが割り当てられるまで、第１ポート１５１及び第２ポート１５２に、ＩＰアドレスの割り当て要求を繰り返し送信させる。これにより、第１表示装置１５０Ｆ及び第２表示装置１７０Ｂは、サーバ１１０よりＩＰアドレスの割り当てを受けることができる。そして、第１表示装置１５０Ａ〜１５０Ｄ、１５０Ｆ及び第２表示装置１７０Ａ、１７０Ｂは、割り当てられたＩＰアドレスを使用して、サーバ１１０と通信を行う。
【００４３】
サーバ１１０は、故障した第１表示装置１５０Ｅを除く、第１表示装置１５０Ａ〜１５０Ｄ、１５０Ｆ及び第２表示装置１７０Ａ、１７０ＢにＩＰアドレスが割り当てできたことを確認すると、サーバ１１０内の蓄積部１１１に蓄えられた情報又は映像のデータを、ＩＰアドレスが割り当てられた表示装置に向けて送信を開始する。
【００４４】
第１表示装置１５０Ａ〜１５０Ｄ、１５０Ｆ及び第２表示装置１７０Ａ、１７０Ｂは、サーバ１１０から送られたデータを通信部１５３、１７３で受け取り、情報又は映像を表示部１５４、１７４に表示させる。
【００４５】
以上では、第１表示装置１５０Ｅが故障した場合を例に説明したが、第１表示装置１５０及び第２表示装置１７０の何れが故障した場合でも、故障した表示装置での表示は不可能となるが、故障した表示装置を除く第１表示装置１５０及び第２表示装置１７０の全てで表示が可能となる。
【００４６】
また、第１表示装置１５０及び第２表示装置１７０が故障するのではなく、通信ケーブル１０２の何れかが切断等した場合でも、同様に、第１表示装置１５０及び第２表示装置１７０の全てで通信が可能となる。
【００４７】
また、第２表示装置１７０の配置は、図３に示されている例に限定されるものではない。第２表示装置１７０Ａ、１７０Ｂが隣り合うように配置すれば、どの位置に配置されていてもよい。
【００４８】
以上のように、表示システム１００の起動時に障害が発生していない場合には、第２表示装置１７０は、第２ポート１７２を遮断状態としているため、ネットワークがループしてブロードキャストストームが発生することはなく、サーバ１１０と第１表示装置１５０及び第２表示装置１７０との間で正常に通信することができる。
【００４９】
また、回線に障害が発生した際に第２表示装置１７０の第２ポート１７２を遮断状態から伝送状態に切り替えるため、サーバ１１０から第２表示装置１７０経由で、障害が発生した箇所よりも後の第１表示装置１５０及び第２表示装置１７０が通信可能となる。即ち、障害発生時に、経路の切り替えによって、通信を行うことができる。
【００５０】
特許文献１に記載された技術では、ブロッキングするポートが１か所のみであるため、ブロッキングするポートが故障して、常に伝送状態となった場合に、ネットワークがループ状態となり、ブロードキャストストームが発生する。一方、実施の形態１では、第２表示装置１７０Ａ、１７０Ｂの何れかが故障して、第２ポート１７２が遮断状態に切り替わらず、伝送状態のままとなった場合でも、他方の第２表示装置１７０の第２ポート１７２が遮断状態となっている。このため、ネットワークがループしてブロードキャストストームが発生することを回避することができる。
【００５１】
次に、起動時に障害が発生しておらず、第１表示装置１５０及び第２表示装置１７０の全てにＩＰアドレスが割り当てられ、サーバ１１０から送るデータに基づいて、情報及び映像が表示されるようになった後で、障害が発生した場合の動作を説明する。
ここでは、第１表示装置１５０及び第２表示装置１７０の全てにＩＰアドレスが割り当てられた後で、図１０に示すように第１表示装置１５０Ｅに故障が発生した場合を例にして説明する。
【００５２】
ＩＰアドレスを割り当てた時点では、障害が発生していないため、第２表示装置１７０の第２ポート１７２は遮断状態となっている。サーバ１１０と第１表示装置１５０及び第２表示装置１７０との間の通信は、サーバ１１０、ハブ１３０、第１表示装置１５０Ａ〜１５０Ｃ及び第２表示装置１７０Ａにより構成される経路と、サーバ１１０、ハブ１３０、第１表示装置１５０Ｄ〜１５０Ｆ及び第２表示装置１７０Ｂにより構成される経路とにより通信が行われる。
【００５３】
第１表示装置１５０Ｅに故障が発生すると、サーバ１１０と第１表示装置１５０Ｆ及び第２表示装置１７０Ｂとの間の通信も途絶えるため、第１表示装置１５０Ｅだけでなく、第１表示装置１５０Ｆ及び第２表示装置１７０Ｂも、サーバ１１０からのデータを受け取ることができず、表示を行うことができなくなる。
【００５４】
図１１に示されているように、第２表示装置１７０Ａの回線障害検出部１７５と、第２表示装置１７０Ｂの回線障害検出部１７５とは、予め定められた周期で、それぞれの通信部１７３に指示して、お互いに応答要求パケットをそれぞれの第１ポート１７１から送信させる。ＩＰアドレスの割り当ては、既に完了しているため、第２表示装置１７０は、相手側のＩＰアドレスへ応答要求パケットを送信する。
図１２に示されているように、第２表示装置１７０Ａの通信部１７３と、第２表示装置１７０Ｂの通信部１７３とは、応答要求を受け取ると、第１ポート１７１に指示して、応答要求の送信元のＩＰアドレスに向けて応答パケットを送信させる。
以上のような応答要求パケット及び応答パケットの送受信は、例えば、ＰＩＮＧコマンドにより、ＩＣＭＰ（Ｉｎｔｅｒｎｅｔ  Ｃｏｎｔｒｏｌ  Ｍｅｓｓａｇｅ  Ｐｒｏｔｏｃｏｌ）プロトコルを使用して実現される。
【００５５】
第２表示装置１７０の通信部１７３は、応答パケットが返ってこなかった場合には、そのことを回線障害検出部１７５に通知する。回線障害検出部１７５は、そのような通知を受けると、第２表示装置１７０Ａ、ハブ１３０及び第２表示装置１７０Ｂの間の何れかの箇所で回線に障害が発生したと判定する。
以上のように、２つの第２表示装置１７０間の応答要求とそれに対する応答により回線における障害の判定ができるため、回線障害の判定を簡略化できる。
【００５６】
回線障害検出部１７５は、回線障害が発生したと判定したとき、通信部１７３に対して、第２ポート１７２を遮断状態から伝送状態に切り替えるよう指示する。通信部１７３は、このような指示に応じて、第２ポート１７２を遮断状態から伝送状態に切り替える。
【００５７】
回線障害が発生している場合、第２表示装置１７０の何れも、応答要求パケットを送信しても応答パケットが返ってこない状態となるため、第２表示装置１７０の第２ポート１７２は、いずれも遮断状態から伝送状態に切り替わる。このため、第２表示装置１７０Ａと第２表示装置１７０Ｂとは、その間の通信ケーブル１０３により、通信が可能な状態となる。
【００５８】
第２表示装置１７０Ａと第２表示装置１７０Ｂとの間の通信が可能になると、サーバ１１０と第１表示装置１５０Ｆ及び第２表示装置１７０Ｂは、第２表示装置１７０Ａ経由で通信可能な状態となる。このため、表示システム１００は、サーバ１１０から送られたデータに基づいて情報又は映像を表示可能な状態に復旧する。
【００５９】
第２表示装置１７０の通信部１７３は、第２ポート１７２を伝送状態とした後に、回線障害検出部１７５が、障害が発生しているか否かを検出して、障害が発生していないことを検出した場合には、第２ポート１７２を遮断状態に切り替えることも可能である。
【００６０】
第２表示装置１７０の回線障害検出部１７５は、回線障害発生時に第２ポート１７２を伝送状態とした後で、予め定められた周期で、一時的に第２ポート１７２を遮断状態に切り替えることも可能である。そして、そのような切り替えの後で、これまでに説明したように、第２表示装置１７０間で、応答要求パケットと応答パケットをやりとりし、相手側からの応答パケットが返ってこない場合に、それぞれの第２ポート１７２を伝送状態に戻し、応答パケットが返ってきた場合は、それぞれの第２ポート１７２を遮断状態のままとしてもよい。
これにより、故障していた表示装置１５０Ｅが、何らかの要因により正常状態に復帰した場合でも、ネットワークのループが形成されブロードキャストストームが発生するのを回避することができる。
【００６１】
以上では、第１表示装置１５０Ｅが故障した場合を例に説明したが、第１表示装置１５０及び第２表示装置１７０の何れが故障した場合でも、故障した表示装置での表示は不可能となるが、故障した表示装置を除く第１表示装置１５０及び第２表示装置１７０の全てで表示が可能となる。
【００６２】
また、第１表示装置１５０及び第２表示装置１７０が故障するのではなく、通信ケーブル１０２の何れかが切断等した場合でも、同様に、第１表示装置１５０及び第２表示装置１７０の全てで通信が可能となる。
【００６３】
また、第２表示装置１７０の配置は、図３に示されている例に限定されるものではない。第２表示装置１７０Ａ、１７０Ｂが隣り合うように配置すれば、どの位置に配置されていてもよい。
【００６４】
さらに、以上の説明では、サーバ１１０にハブ１３０を接続する構成としたが、このような例に限定されるものではない。例えば、サーバ１１０を、ハブ１３０と同様の機能を備える構成とすることにより、同様の動作を行うことができる。
【００６５】
以上の説明では、図３に示されているように、表示システム１００は、サーバ１１０と、ハブ１３０とを備えているが、このような例に限定されるものではない。例えば、図１３に示されている表示システム１００＃のような構成としてもよい。
図１３に示されているように、表示システム１００＃は、第１表示装置１５０Ａ＃と、第１表示装置１５０Ｂ〜１５０Ｆと、第２表示装置１７０Ａ、１７０Ｂとを備える。表示システム１００＃では、第１表示装置１５０Ａ＃と第１表示装置１５０Ｄとを通信ケーブル１０２Ｉで接続することにより、第１表示装置１５０Ａ＃、第１表示装置１５０Ｂ〜１５０Ｆ及び第２表示装置１７０Ａ、１７０Ｂがリング状に接続されている。表示システム１００＃は、第１表示装置１５０Ａ＃の構成が、他の第１表示装置１５０と異なっている。
【００６６】
図１４は、第１表示装置１５０Ａ＃の構成の一例を概略的に示すブロック図である。図１４に示されている第１表示装置１５０Ａ＃は、第１ポート１５１と、第２ポート１５２と、通信部１５３＃と、表示部１５４＃と、蓄積部１１１＃と、回線障害検出部１１４＃とを備える。
通信部１５３＃は、図６に示された第１表示装置１５０の通信部１５３と同様の処理を行うほか、図４に示されたサーバ１１０の通信部１１２と同様の処理を行う。なお、通信部１５３＃は、蓄積部１１１＃に蓄積されたデータを第１ポート１５１及び第２ポート１５２から送信させる。
蓄積部１１１＃は、図４に示されたサーバ１１０の蓄積部１１１と同様に、情報及び映像のデータを蓄積する。
表示部１５４＃は、蓄積部１１１＃に蓄積されているデータに基づいて、表示を行う。
回線障害検出部１１４＃は、図４に示されたサーバ１１０の回線障害検出部１１４と同様に、回線障害の検出を行う。
第１ポート１５１及び第２ポート１５２は、図６に示された第１表示装置１５０の第１ポート１５１及び第２ポート１５２と同様である。
以上のような構成により、サーバ１１０及びハブ１３０が不要となる。
【００６７】
図１４に示された構成では、サーバ１１０の機能を第１表示装置１５０Ａに追加しているが、このような例に限定されるものではない。サーバ１１０の機能は、第１表示装置１５０の何れに追加されてもよい。
【００６８】
また、図１５に示されている第２表示装置１７０＃を用いることで、サーバ１１０の機能を第２表示装置１７０の何れか一方に追加することもできる。
図１５に示されている第２表示装置１７０＃は、第１ポート１７１と、第２ポート１７２と、通信部１７３＃と、表示部１７４＃と、第１回線障害検出部１７５＃と、蓄積部１１１＃と、第２回線障害検出部１１４＃とを備える。
通信部１５３＃は、図７に示された第２表示装置１７０の通信部１７３と同様の処理を行うほか、図４に示されたサーバ１１０の通信部１１２と同様の処理を行う。なお、通信部１７３＃は、回線に障害が発生していない場合には、蓄積部１１１＃に蓄積されたデータを第１ポート１７１に送信させる。一方、通信部１７３＃は、回線に障害が発生している場合には、蓄積部１１１＃に蓄積されたデータを第１ポート１７１及び第２ポートに送信させる。
蓄積部１１１＃は、図４に示されたサーバ１１０の蓄積部１１１と同様に、情報及び映像のデータを蓄積する。
表示部１７４＃は、蓄積部１１１＃に蓄積されているデータに基づいて、表示を行う。
第１回線障害検出部１７５＃は、図７に示された第２表示装置１７０の回線障害検出部１７５と同様に、回線障害の検出を行う。
第２回線障害検出部１１４＃は、図４に示されたサーバ１１０の回線障害検出部１１４と同様に、回線障害の検出を行う。
第１ポート１７１及び第２ポート１７２は、図７に示された第２表示装置１７０の第１ポート１７１及び第２ポート１７２と同様である。
以上のような第２表示装置１７０＃を用いても、図１３に示された通信システム１００＃と同様に、サーバ１１０及びハブ１３０が不要となる。
【００６９】
以上に記載された実施の形態１では、表示システム１００の起動時に、ＩＰアドレスの割り当てができたか否かにより回線障害を検出していたが、このような例に限定されるものではない。例えば、第１表示装置１５０及び第２表示装置１７０のＩＰアドレスが固定の場合には、応答要求パケット及び応答パケットの送受信による回線障害検出及び回線復旧方法を、起動時にも適用することができる。
【００７０】
以上のように、表示システム１００の起動時及び起動後の両方において、回線障害が発生していない場合には、第２表示装置１７０の第２ポート１７２を遮断状態とするため、ネットワークがループしてブロードキャストストームが発生するのを防ぎ、正常に通信することができる。また、回線障害が発生した際には、第２表示装置１７０の第２ポート１７２を遮断状態から伝送状態に切り替えるため、回線障害発生時の経路切り替えによる復旧が可能となる。
【００７１】
実施の形態２．
図１６は、実施の形態２に係る表示システムの構成の一例を概略的に示すブロック図である。図１６に示されている表示システム２００は、例えば、列車やバス等の公共交通機関において、運行情報、乗り換え案内、広告映像及び行き先等の表示に使用される。
【００７２】
表示システム２００は、サーバ１１０と、ハブ１３０と、第１表示装置１５０と、第２表示装置２７０Ａ、２７０Ｂ（以下、各々を特に区別する必要がない場合には、第２表示装置２７０という）とを備える。第２表示装置２７０Ａ、２７０Ｂの間は、通信ケーブル１０３と通信ケーブル２０４とで接続されている。図１６では、第１表示装置１５０及び第２表示装置２７０が計８台備えられているが、このような例に限定されるものではなく、第２表示装置２７０が隣接するように２台含まれていれば、第１表示装置１５０の数は任意である。
実施の形態２に係る表示システム２００は、第２表示装置２７０において、実施の形態１に係る表示システム１００と異なっている。
【００７３】
図１７は、実施の形態２における第２表示装置２７０の構成の一例を概略的に示すブロック図である。第２表示装置２７０は、第１ポート１７１と、第２ポート１７２と、通信部２７３と、表示部１７４と、回線障害検出部２７５と、サブ通信部２７６と、第３ポート２７７とを備える。
実施の形態２における第２表示装置２７０は、通信部２７３及び回線障害検出部２７５での処理の点、並びに、サブ通信部２７６及び第３ポート２７７をさらに備える点において、実施の形態１における第２表示装置１７０と異なっている。
【００７４】
サブ通信部２７６は、第３ポート２７７を介して、別の第２表示装置２７０と通信を行う。
第３ポート２７７は、通信ケーブル２０４を介して、信号を送受信する通信インタフェースである。
【００７５】
通信部２７３は、実施の形態１における通信部１７３と同様の処理を行うほか、サーバ１１０から、第２ポート１７２の伝送状態への切り替え指示を受けた場合に、そのような指示を受けたことを回線障害検出部２７５に通知する。
【００７６】
回線障害検出部２７５は、実施の形態１における回線障害検出部１７５と同様の処理を行うほか、以下のような処理を行う。
回線障害検出部２７５は、通信部２７３から第２ポート１７２の伝送状態への切り替え指示を受けたことの通知を受けた場合には、サブ通信部２７６に指示することで、第２ポート１７２の伝送状態への切り替え指示を、第３ポート２７７に接続されている第２表示装置２７０に送信させる。
また、回線障害検出部２７５は、サブ通信部２７６から第２ポート１７２の伝送状態への切り替え指示を受け取った場合には、通信部２７３に第２ポート１７２を伝送状態に切り替えるように指示する。
【００７７】
第２表示装置２７０は、図１８に示すような構成のハードウエアにより実現可能である。図１８に示されているＣＰＵ４０は、各種の制御やデータ処理を行う。ＲＯＭ４１は、不揮発のメモリで、ＣＰＵ４０が動作するためのプログラムを格納する。ＤＲＡＭ４２は、ＣＰＵ４０の動作中にＣＰＵ４０の動作に必要なプログラム及びデータを記憶しておく。ＦＰＧＡ４３は、ＬＣＤパネル４５に表示するための信号処理を行う。ＤＲＡＭ４４は、ＦＰＧＡ４３の信号処理中に必要なデータを記憶しておく。ＬＣＤパネル４５は、映像や静止画を表示する。ＬＡＮ  ＭＡＣ４６は、ネットワーク通信のデータリンク層の処理を行う。ＬＡＮ  ＰＨＹ４７、４８、４９は、ネットワーク通信の物理層の処理を行う。ＬＡＮ  コネクタ５０、５１、５２は、通信ケーブル１０２、１０３、２０４を接続する。
例えば、第１ポート１７１は、ＣＰＵ４０がＬＡＮ  ＰＨＹ４７及びＬＡＮ  コネクタ５０を利用することにより実現可能である。第２ポート１７２は、ＣＰＵ４０がＬＡＮ  ＰＨＹ４８及びＬＡＮ  コネクタ５１を利用することにより実現可能である。第３ポート２７７は、ＣＰＵ４０がＬＡＮ  ＰＨＹ４９及びＬＡＮ  コネクタ５２を利用することにより実現可能である。通信部２７３及びサブ通信部２７６は、ＣＰＵ４０がＬＡＮ  ＭＡＣ４６を利用することにより実現可能である。表示部１７４は、ＣＰＵ４０がＦＰＧＡ４３及びＬＣＤパネル４５を利用することにより実現可能である。回線障害検出部２７５は、ＣＰＵ４０により実現可能である。
【００７８】
次に表示システム２００を起動する際の表示システム２００の動作を説明する。
なお、起動時に回線障害が発生していない場合の動作は、実施の形態１と同様である。従って、ここでは、起動時に回線障害が発生していた場合の動作を説明する。
【００７９】
図１９に示すように、第１表示装置１５０Ｅが故障していた場合を例に説明する。このような場合には、表示システム２００の起動時に、第１表示装置１５０Ａ〜１５０Ｄには、ＩＰアドレスが割り当てられる。一方、第１表示装置１５０Ｅの故障により、通信が遮断され、サーバ１１０との通信ができず、第１表示装置１５０Ｅ、１５０Ｆ及び第２表示装置２７０Ｂには、ＩＰアドレスが割り当てられない。
【００８０】
サーバ１１０内の通信部１１２は、第１表示装置１５０及び第２表示装置２７０の何れか、あるいは複数にＩＰアドレスの割り当てができなかった場合、蓄積部１１１に記憶されている配置情報を参照して、回線障害検出部１１４に、どの表示装置に対してＩＰアドレスの割り当てができなかったかというＩＰアドレス割り当て不可情報を通知する。
【００８１】
サーバ１１０の回線障害検出部１１４は、ＩＰアドレス割り当て不可情報に基づいて、蓄積部１１１に記憶されている配置情報を参照することで、回線障害発生場所を判定する。図１９の例では、第１表示装置１５０Ｅ、１５０Ｆ及び第２表示装置２７０Ｂの識別情報がＩＰアドレス割り当て不可情報により通知される。回線障害検出部１１４は、ＩＰアドレスが割り当てられなかった表示装置のうち、サーバ１１０に一番近い表示装置で故障が発生したと判定する。図１９の例では、サーバ１１０に一番近い第１表示装置１５０Ｅで故障が発生したと判定する。
【００８２】
サーバ１１０の回線障害検出部１１４は、蓄積部１１１に記憶されている配置情報を参照することで、回線障害が発生していない経路に含まれている第２表示装置２７０に第２ポート１７２を伝送状態へ切り替えるように指示する。図１９の例では、回線障害検出部１１４は、第１表示装置１５０Ａ〜１５０Ｃ経由で、第２表示装置２７０Ａに指示する。第２表示装置２７０Ａの通信部２７３は、この指示を受け取り、その第２ポート１７２を遮断状態から伝送状態へ切り替える。また、通信部２７３は、第２ポート１７２の伝送状態への切り替え指示があったことを回線障害検出部２７５に通知する。
【００８３】
第２表示装置２７０Ａの回線障害検出部２７５は、通信部２７３からそのような通知を受け取ると、サブ通信部２７６に指示して、第２表示装置２７０Ｂへ第２ポート１７２を遮断状態から伝送状態に切り替えるように切り替え指示を送信させる。このような指示を受けたサブ通信部２７６は、第３ポート２７７に切り替え指示を送信させる。
第２表示装置２７０Ｂのサブ通信部２７６は、通信ケーブル２０４経由で、第３ポート２７７で受信された、第２ポート１７２の切り替え指示を回線障害検出部２７５へ通知する。このような通知を受けた回線障害検出部２７５は、通信部２７３に指示することで、第２ポート１７２を遮断状態から伝送状態に切り替えさせる。
【００８４】
これまでの動作により、第２表示装置２７０Ａの第２ポート１７２と第２表示装置２７０Ｂの第２ポート１７２とが、遮断状態から伝送状態に切り替わるため、これらの間で通信ケーブル１０３による通信が可能な状態となる。これにより、第１表示装置１５０Ａ〜１５０Ｄ及び第２表示装置２７０Ａ経由で、サーバ１１０と第１表示装置１５０Ｆ及び第２表示装置２７０Ｂ間の通信が可能な状態になる。
【００８５】
サーバ１１０は、ＤＨＣＰ等のプロトコルにより、第１表示装置１５０Ｆと第２表示装置２７０ＢにＩＰアドレスの割り当てを行う。そして、第１表示装置１５０Ａ〜１５０Ｄ、１５０Ｆ及び第２表示装置２７０Ａ、２７０Ｂは、割り当てられたＩＰアドレスを使用して、サーバ１１０と通信を行う。
【００８６】
サーバ１１０は、故障した第１表示装置１５０Ｅを除く、第１表示装置１５０Ａ〜１５０Ｄ、１５０Ｆ及び第２表示装置２７０Ａ、２７０ＢにＩＰアドレスが割り当てられたことを確認すると、サーバ１１０内の蓄積部１１１に蓄えられた情報又は映像のデータを、ＩＰアドレスが割り当てられた表示装置に向けて送信を開始する。
【００８７】
第１表示装置１５０Ａ〜１５０Ｄ、１５０Ｆ及び第２表示装置２７０Ａ、２７０Ｂは、サーバ１１０から送られたデータを通信部１５３、２７３で受け取り、情報又は映像を表示部１５４、１７４に表示させる。
【００８８】
以上では、第１表示装置１５０Ｅが故障した場合を例に説明したが、第１表示装置１５０及び第２表示装置２７０の何れが故障した場合でも、故障した表示装置での表示は不可能となるが、故障した表示装置を除く第１表示装置１５０及び第２表示装置２７０の全てで表示が可能となる。
【００８９】
また、第１表示装置１５０及び第２表示装置２７０が故障するのではなく、通信ケーブル１０２の何れかが切断等した場合でも、同様に、第１表示装置１５０及び第２表示装置２７０の全てで通信が可能となる。
【００９０】
また、第２表示装置２７０の配置は、図１６に示されている例に限定されるものではない。第２表示装置２７０Ａ、２７０Ｂが隣り合うように配置すれば、どの位置に配置されていてもよい。
【００９１】
さらに、以上では、第２表示装置２７０Ａと第２表示装置２７０Ｂとの間を専用の通信ケーブル２０４で接続する例を説明したが、有線ケーブルを使用する代わりに、これらの間を無線通信で接続しても良い。このような場合、通信ケーブル２０４を接続するための設置スペースの確保、及び、通信ケーブル２０４の設置作業が不要になる。
【００９２】
以上のように、表示システム２００の起動時に回線障害が発生していない場合には、第２表示装置２７０の第２ポート１７２を遮断状態とするため、ネットワークがループしてブロードキャストストームが発生することなく、正常に通信することが可能となる。
【００９３】
また、回線障害が発生した際に第２表示装置２７０の第２ポート１７２が遮断状態から伝送状態に切り替えられるため、サーバ１１０から第２表示装置２７０経由で、サーバ１１０と、回線障害が発生した第１表示装置１５０以降の第１表示装置１５０及び第２表示装置２７０とが通信可能となり、回線障害発生時の経路切り替えによる復旧が行われる。
【００９４】
特許文献１に記載された技術では、ブロッキングする通信ポートが１か所のみであるため、ブロッキングするポートが故障して、常に伝送状態となった場合に、ネットワークがループ状態となり、ブロードキャストストームが発生する。一方、実施の形態２では、第２表示装置２７０の何れかが故障して、第２ポート１７２が遮断状態に切り替わらず、伝送状態のままとなった場合でも、他方の第２表示装置２７０の第２ポート１７２が遮断状態となっているため、ネットワークがループしてブロードキャストストームが発生することを回避することができる。
【００９５】
なお、実施の形態２に係る表示システム２００でも、起動時に回線障害が発生しておらず、全ての表示装置で表示が行われるようになった後で、回線障害が発生した場合には、実施の形態１に係る表示システム１００と同様の動作が行われる。
【符号の説明】
【００９６】
１００，２００  表示システム、  １０１，１０２，１０３，２０４  通信ケーブル、  １１０  サーバ、  １１１  蓄積部、  １１２  通信部、  １１３  ポート、  １１４  回線障害検出部、  １３０  ハブ、  １３１  第１ポート、  １３２  第２ポート、  １３３  第３ポート、  １５０  第１表示装置、  １５１  第１ポート、  １５２  第２ポート、  １５３  通信部、  １５４  表示部、  １７０，２７０  第２表示装置、  １７１  第１ポート、  １７２  第２ポート、  １７３，２７３  通信部、  １７４  表示部、  １７５，２７５  回線障害検出部、  ２７６  サブ通信部、  ２７７  第３ポート。
【図１】
2016035480.tif 000003
【図２】
2016035480.tif 000004
【図３】
2016035480.tif 000005
【図４】
2016035480.tif 000006
【図５】
2016035480.tif 000007
【図６】
2016035480.tif 000008
【図７】
2016035480.tif 000009
【図８】
2016035480.tif 000010
【図９】
2016035480.tif 000011
【図１０】
2016035480.tif 000012
【図１１】
2016035480.tif 000013
【図１２】
2016035480.tif 000014
【図１３】
2016035480.tif 000015
【図１４】
2016035480.tif 000016
【図１５】
2016035480.tif 000017
【図１６】
2016035480.tif 000018
【図１７】
2016035480.tif 000019
【図１８】
2016035480.tif 000020
【図１９】
2016035480.tif 000021